(57)【要約】      （修正有）【課題】書類等の規格に関係なく、またパイプ式、リング式ホルダーの穴の数量に関係なく書類等に穴をあけずファイル及びリファイルできる構造を提供する。【解決手段】片２を開口して書類を差し込み、クリップ部分を戻す事により複数枚の書類を挟持し、片１にあけた穴を利用する事により、書類に直接穴をあける事無くパイプ式ホルダーやリング式ホルダーに収納する事が出来る。又、ホッチキス等で止める必要がないので、任意の書類提出・挿入が簡単にできる。本考案品は、ハサミなどで切断する事が出来るので、書類サイズ、縦横を問わずに綴じる事が出来、様々な種類の書類に転用可能である。【選択図】図１
0003119658.tif 000002
【実用新案登録請求の範囲】
【請求項１】
パイプ式ホルダー、リング式ホルダーへ書類等をファイルする際、書類等に穴を開けず挟持する片１、片３と、パイプやリングに実際差し込むための穴を開けられる弾性とヒンジ性能を持つ片２、片４からなる、プラスチック材質の扁平長尺の書類等保管補助装置である。
【請求項２】
上記１は容易に切断できるため、書類等の規格に関係なく、短辺又は長辺全体を挟持する構造である。
【考案の詳細な説明】
【技術分野】
【０００１】
本考案は、書類等に穴を開けず綴じ、そのまま、パイプ式、リング式ホルダーに保管できるクリップファイルの構造分野に属する
【背景技術】
【０００２】
市販にある、クリップファイルはファイルに書類等を複数差込、それらの書類等がずれたり、抜け落ちたりしないため、ファイルの内部又は、ファイルの外側部分にクリップを取り付ける構造になっている。
リファイルといって、予めファイルの一辺に穴があいていて、書類等を袋状のファイルに挿入して、そのまま多穴、２穴のパイプ式、リング式ホルダーへ差し込むことができるものが重宝がられている
【特許文献１】特開２０００−１５８８６５  特開２００３−２４６１７８
【非特許文献１】参考：アスクル２００５年vol.１３カタログP４３６
【考案の開示】
【考案が解決しようとする課題】
【０００３】
コピー・ワープロ等で作成した書類を２穴又は多穴ファイルに収納しようとする時書類自体に穴をあける必要があり、内容の欠落等を起こす可能性があり好ましくなかった。
ファイルにクリップ機能がついているクリップファイルでは同一案件の書類等だけを挟持することには利便性を発揮するが、そのクリップファイルに違う案件の書類等をファイルする場合、紙縒り、付箋、ミニクリップ、ステープルで案件ごとに印をつけない限り、必要案件の見分けができない。よって、案件ごとにクリップファイルを用いることになり非効率である。また、クリップファイル自体に自立性がないため、クリップファイルを保管する場合、収納箱や、ブックエンドを利用せざるを得ない。
リファイル用のファイルは、予め２穴や多穴のどちらかが成型されている。よって、手持ちのホルダーの構造に合わせたリファイルを選別する必要がある。また、ファイルの懐に余裕がないため、通常用紙にして1枚、乃至は2枚が挿入できる許容範囲で、無理をして挿入した場合、ファイルの破損が生じる。
1案件で複数の書類等や規格が異なる書類等がある場合、リファイルを複数準備することになり非効率である。本案件は上記複数の構造的な課題を容易に解決するクリップファイルを提供するものである。
２穴若しくは多穴ファイルに直接書類を綴じた時に書類が捩れる事を防止する。
【課題を解決するための手段】
【０００４】
請求項１の構造を保有しているため、まず、書類等に穴を開けずに案件ごとの保管ができる差込構造である。次にそれらを書棚等に保管する場合、箱型収納やブックエンドを利用して保管もできるが、請求項１の片２に市販の穴あけ機で容易に穴を開けられるため、パイプ式、リング式ホルダーに綴じることが容易にできる。
また、予め穴が開いていないため、多穴であろうと２穴であろうとそのホルダーのタイプに合わせて加工ができるため経済的である。同じく、ファイルは予め書類等の規格に合わせたサイズになっている。例えば、A３規格、B５規格、A４規格等、それらの規格に合わせたファイルを選択しなければならないが、本考案では、ホルダーの規格にも書類の縦横等の規格にも左右されず、請求項２の構造で全ての規格に適合できる。
【考案の効果】
【０００５】
上記のように、本考案は単純な構造ではあるが、書類等をその規格に左右されず保管収納できる、また、リファイルする際も、パイプ式、リング式の２穴・多穴に関係なく、同時にホルダーの規格にも関係なく利用できる。
当然、従来あるリファイルようファイルや、単純ファイルをも挟持しホルダーへリファイルできる効果があり経済的である。
【考案を実施するための最良の形態】
【０００６】
本考案の好適な実施例を図面に沿って説明する
図１は本考案の構造的実施例である
図２は書類等を挟持した状態である、図３は穴あけ機で穴を開けた状態である、図４は図３で穴を開けたもので、書類等を挟持した状態である、図５はパイプ式ホルダーに差し込んだ状態である
図６は書類等の規格に適合させるため切断するところである
【図面の簡単な説明】
【０００７】
【図１】本考案の実施方法を示した説明図である。
【図２】書類等を挟持方法及び挟持状態である。
【図３】穴あけ機で穴を開けた状態である。
【図４】図３で穴を開けたもので、書類等を挟持した状態である。
【図５】パイプ式ホルダーに差し込んだ状態である。
【図６】リング式ホルダーに差し込んだ状態である。
【図７】書類等の規格に適合させるため切断するところである。
【図８】直接穴をあけて、文字が欠落した書類の参考図
【図９】市販ファイルに、穴をあけた書類を直接綴じた参考図
【符号の説明】
【０００８】
１、３・・・本考案を実施するための基本部分
２、４・・・書類挟持部分
５、６・・・本考案の側面部分
７・・・１、３に２穴の穴をあけた状態
８・・・１、３に多穴の穴をあけた状態
【図１】
0003119658.tif 000003
【図２】
0003119658.tif 000004
【図３】
0003119658.tif 000005
【図４】
0003119658.tif 000006
【図５】
0003119658.tif 000007
【図６】
0003119658.tif 000008
【図７】
0003119658.tif 000009
【図９】
0003119658.tif 000010
【図８】
0003119658.tif 000011
【手続補正書】
【提出日】平成17年12月16日(2005.12.16)
【手続補正１】
【補正対象書類名】実用新案登録請求の範囲
【補正対象項目名】全文
【補正方法】変更
【補正の内容】
【実用新案登録請求の範囲】
【請求項１】
パイプ式ホルダー、リング式ホルダーへ書類等をファイルする際、書類等に穴を開けず挟持する片２と、パイプやリングに実際差し込むための穴を開けられる弾性とヒンジ性能を持つ片1からなる、プラスチック材質の扁平長尺の書類等保管補助装置
【手続補正２】
【補正対象書類名】明細書
【補正対象項目名】全文
【補正方法】変更
【補正の内容】
【考案の詳細な説明】
【技術分野】
【０００１】
本考案は、書類等に穴を開けず綴じ、そのまま、パイプ式、リング式ホルダーに保管できるクリップファイルの構造分野に属する
【背景技術】
【０００２】
市販にある、クリップファイルはファイルに書類等を複数差込、それらの書類等がずれたり、抜け落ちたりしないため、ファイルの内部又は、ファイルの外側部分にクリップを取り付ける構造になっている。
リファイルといって、予めファイルの一辺にリング式、パイプ式ホルダーのとじ穴に差し込めるように複数の穴が開き、袋状になっているものは、書類等をその袋状のファイルに挿入し、そのままホルダーに差し込むことができるものが重宝がられている
【特許文献１】特開２０００−１５８８６５  特開２００３−２４６１７８
【非特許文献１】参考：アスクル２００５年vol.１３カタログＰ４３６
【考案の開示】
【考案が解決しようとする課題】
【０００３】
コピー・ワープロ等で作成した書類を２穴又は多穴ファイルに収納しようとする時書類自体に穴をあける必要があり、内容の欠落等を起こす可能性があり好ましくなかった。
ファイルにクリップ機能がついているクリップファイルでは同一案件の書類等だけを挟持することには利便性を発揮するが、そのクリップファイルに違う案件の書類等をファイルする場合、紙縒り、付箋、ミニクリップ、ステープルで案件ごとに印をつけない限り、必要案件の見分けができない。よって、案件ごとにクリップファイルを用いることになり非効率である。また、クリップファイル自体に自立性がないため、クリップファイルをそのまま保管する場合、収納箱や、ブックエンドを利用せざるを得ない。
リファイル用のファイルは、予め２穴や多穴のどちらかが成型されている。よって、手持ちのホルダーの構造に合わせたリファイルを選別する必要がある。また、ファイルの懐に余裕がなくフィルム素材のため、通常用紙にして1枚、乃至は2枚が挿入できる許容範囲で、無理をして挿入した場合、ファイルの破損が生じる。
１案件で複数の書類等や規格が異なる書類等がある場合、リファイルを複数準備することになり非効率である。本案件は上記複数の構造的な課題を容易に解決するクリップファイルを提供するものである。
【課題を解決するための手段】
【０００４】
請求項１の構造を保有しているため、まず、書類等に穴を開けずに案件ごとの保管ができる差込構造である。次にそれらを書棚等に保管する場合、箱型収納やブックエンドを利用して保管もできるが、請求項１の片１に市販の穴あけ機で容易に穴を開けられるため、パイプ式、リング式ホルダーに綴じることが容易にできる。
また、予め穴が開いていないため、多穴であろうと２穴であろうとそのホルダーのタイプに合わせて加工ができるため経済的である。同じく、ファイルは予め書類等の規格に合わせたサイズになっている。例えば、A３規格、B５規格、A４規格等、それらの規格に合わせたファイルを選択しなければならないが、本考案では、ホルダーの規格にも書類の縦横等の規格にも左右されず、全ての規格に適合できる。
【考案の効果】
【０００５】
本考案は単純な構造ではあるが、書類等をその規格に左右されず保管収納できる、また、リファイルする際も、パイプ式、リング式の２穴・多穴に関係なく、同時にホルダーの規格にも関係なく利用できる。
当然、従来あるリファイルようファイル（〔背景技術〕に示す）や、２枚のフィルムを重ね、その四辺の二辺をL字型にシールされた単純ファイルも本考案は挟持できるため、ホルダーにそれらファイルを挟持したままリファイルできため経済的である。
【考案を実施するための最良の形態】
【０００６】
本考案品は〔図１〕の片２を開口して書類を差込み、クリップ部分を戻す事により複数枚の書類を挟持し、片１にあけた穴を利用する事により、書類に直接穴をあける事なくパイプ式ホルダーやリング式ホルダーに収納する事が出来る。又、ホッチキス等でとめる必要がないので、任意の書類の抽出・挿入が簡単に出来る。
本考案品はハサミ等で切断する事が出来るので、書類のサイズ、縦横を問わずに綴じる事が出来、様々な種類の書類に転用可能である。
また、書類に穴をあけて直接リング式ホルダー、パイプ式ホルダー等の市販ホルダーに綴じた書類は変形しやすいが本考案品を取り付けたものは書類の変形も少なくなる。
【図面の簡単な説明】
【０００７】
【図１】本考案品の断面図と、側面図
【図２】書類等を挟持する工程、及び書類を挟持した状態
【図３】穴あけ機で穴を開けた状態である。
【図４】本考案品に穴を開けたもので、書類等を挟持した状態である。
【図５】パイプ式ホルダーに差し込んだ状態である。
【図６】リング式ホルダーに差し込んだ状態である。
【図７】書類等の規格に適合させるため切断するところである。
【図８】直接穴をあけて、文字が欠落した書類の参考図
【図９】市販ホルダーに、穴をあけた書類を直接綴じて変形した書類の参考例
【図１０】市販のリファイル用ファイル
【図１１】市販の単純ファイル
【符号の説明】
【０００８】
１・・・本考案を実施するための基本部分でホルダーに綴じるための穴をあける部分
２・・・書類を挟持する為の部分
３、４・・・本考案品の側面図
５・・・本考案品に２穴の穴をあけた状態
６・・・本考案品に多穴の穴をあけた状態
【手続補正３】
【補正対象書類名】図面
【補正対象項目名】全図
【補正方法】変更
【補正の内容】
【図１】
0003119658.tif 000012
【図２】
0003119658.tif 000013
【図３】
0003119658.tif 000014
【図４】
0003119658.tif 000015
【図５】
0003119658.tif 000016
【図６】
0003119658.tif 000017
【図７】
0003119658.tif 000018
【図８】
0003119658.tif 000019
【図９】
0003119658.tif 000020
【図１０】
0003119658.tif 000021
【図１１】
0003119658.tif 000022